【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
共有スペクトラム上でアップリンク送信に対するいくつかの割り振られたインターレースをユーザ機器（ＵＥ）において受信することと、ここにおいて、各割り振られたインターレースは、前記共有スペクトラムの複数の非連続的リソースブロックを備え、割り振られたインターレースの数は、前記ＵＥのジョイントインターレースプリコーディングハードウェアによってサポートされない、
前記割り振られたインターレースを、少なくとも２つのインターレースのサブセットに区分することと、ここにおいて、インターレースの各サブセットのサイズは、前記ＵＥの前記ジョイントインターレースプリコーディングハードウェアによってサポートされ、インターレースの各サブセットは、非連続的リソースブロックのサブセットを備え、
前記ＵＥにおいて、非連続的リソースブロックの前記サブセットを備えるインターレースの各サブセットで別々にジョイントインターレースプリコーディングを実行することと、
を備える方法。
【請求項２】
前記ＵＥに対して選択されるサイズの組合せに関連する電力メトリックに基づいて、インターレースの各サブセットの前記サイズを選択することをさらに備える、請求項１に記載の方法。
【請求項３】
インターレースの前記サブセットを前記共有スペクトラム上で基地局に送信することをさらに備える、請求項１に記載の方法。
【請求項４】
割り振られたリソースの数は７を備える、請求項１に記載の方法。
【請求項５】
インターレースの前記少なくとも２つのサブセットは、１つのインターレースの第１のセットと６つのインターレースの第２のセットとを備える、請求項１に記載の方法。
【請求項６】
ユーザ機器（ＵＥ）におけるワイヤレス通信のための装置であって、
前記ＵＥにおいて、共有スペクトラム上でアップリンク送信に対するいくつかの割り振られたインターレースを受信するための手段と、ここにおいて、各割り振られたインターレースは、前記共有スペクトラムの複数の非連続的リソースブロックを備え、割り振られたインターレースの数は、前記ＵＥのジョイントインターレースプリコーディングハードウェアによってサポートされない、
前記割り振られたインターレースを、少なくとも２つのインターレースのサブセットに区分するための手段と、ここにおいて、インターレースの各サブセットのサイズは、前記ＵＥの前記ジョイントインターレースプリコーディングハードウェアによってサポートされ、インターレースの各サブセットは、非連続的リソースブロックのサブセットを備え、
前記ＵＥにおいて、非連続的リソースブロックの前記サブセットを備えるインターレースの各サブセットで別々にジョイントインターレースプリコーディングを実行するための手段と、
を備える装置。
【請求項７】
前記ＵＥに対して選択されるサイズの組合せに関連する電力メトリックに基づいて、インターレースの各サブセットの前記サイズを選択するための手段をさらに備える、請求項１に記載の装置。
【請求項８】
インターレースの前記サブセットを前記共有スペクトラム上で基地局に送信するための手段をさらに備える、請求項１に記載の装置。
【手続補正２】
【補正対象書類名】明細書
【補正対象項目名】０１７７
【補正方法】変更
【補正の内容】
【０１７７】
[0198]本開示の前述の説明は、当業者が本開示を作製または使用することを可能にするために与えられる。本開示に対する様々な修正が当業者には容易に明らかとなり、本明細書において規定された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または要求しない。したがって、本開示は、本明細書において説明される例および設計に限定されるべきでなく、本明細書において開示される原理および新規の特徴に合致する最も広い範囲を与えられるべきである。
以下に本願の出願当初の特許請求の範囲に記載された発明を付記する。
[Ｃ１]  ワイヤレス通信の方法であって、
共有スペクトラム上でアップリンク送信に対するいくつかの割り振られたインターレースをユーザ機器（ＵＥ）において受信することと、ここにおいて、各割り振られたインターレースは、前記共有スペクトラムの複数の非連続的リソースブロックを備え、
前記共有スペクトラム内の前記割り振られたインターレースに対する前記リソースブロックの順序付けに基づく基準信号シーケンスに従って、前記割り振られたインターレースの前記リソースブロックに対する基準信号を生成することと、
を備える方法。
[Ｃ２]  前記基準信号を生成することは、
前記基準信号シーケンスからの基準信号シンボルを、周波数に従って前記共有スペクトラム内の前記割り振られたインターレースの前記リソースブロックにマッピングすることを備え、
別々の基準信号が、前記割り振られたインターレースの前記リソースブロックの各々に対して、そのリソースブロックにマッピングされた前記基準信号シンボルに基づいて生成される、Ｃ１に記載の方法。
[Ｃ３]  前記共有スペクトラムは、少なくとも１つの割り振られないインターレースと関連付けられた複数のリソースブロックを備え、前記基準信号を生成することは、
周波数に従って、前記基準信号シーケンスからの基準信号シンボルを、前記割り振られたインターレースおよび前記少なくとも１つの割り振られないインターレースの前記リソースブロックにマッピングすることと、
前記割り振られたインターレースの前記リソースブロックにマッピングされる基準信号シンボルのサブセットを決定するために前記基準信号シーケンスをパンクチャすることと、
を備え、前記割り振られたインターレースの前記リソースブロックの各々に対して、そのリソースブロックにマッピングされた前記基準信号シンボルに基づいて、別々の基準信号が生成される、Ｃ１に記載の方法。
[Ｃ４]  前記基準信号を生成することは、
いくつかのコンピュータ生成シーケンスを生成することと、
前記コンピュータ生成シーケンスのうちの１つを、前記共有スペクトラム内の前記割り振られたインターレースの前記リソースブロックのうちの１つにマッピングすることと、
を備える、Ｃ１に記載の方法。
[Ｃ５]  前記コンピュータ生成シーケンスの長さは、前記リソースブロックに対するいくつかの周波数サブキャリアに少なくとも部分的に基づく、Ｃ４に記載の方法。
[Ｃ６]  コンピュータ生成シーケンスの数は、割り振られたインターレースの数に少なくとも部分的に基づく、Ｃ４に記載の方法。
[Ｃ７]  ランダムサイクリックシフトに少なくとも部分的に基づいて前記コンピュータ生成シーケンスのうちの少なくとも１つをシフトすることをさらに備える、Ｃ４に記載の方法。
[Ｃ８]  前記コンピュータ生成シーケンスのうちの１つを、前記リソースブロックのうちの１つにマッピングすることは、
外部シーケンスを生成することと、
いくつかの組み合わされたシーケンスを決定することと、ここにおいて、前記組み合わされたシーケンスは、前記コンピュータ生成シーケンスおよび前記外部シーケンスのうちの少なくとも１つに少なくとも部分的に基づき、
前記組み合わされたシーケンスのうちの１つを、前記共有スペクトラム内の前記割り振られたインターレースの前記リソースブロックのうちの１つにマッピングすることと、
を備える、Ｃ４に記載の方法。
[Ｃ９]  前記共有スペクトラム上で前記アップリンク送信を送信することをさらに備え、前記アップリンク送信は前記割り振られたインターレースのうちの少なくとも１つを備える、Ｃ１に記載の方法。
[Ｃ１０]  ワイヤレス通信のための装置であって、
共有スペクトラム上でアップリンク送信に対するいくつかの割り振られたインターレースをユーザ機器（ＵＥ）において受信するための手段と、ここにおいて、各割り振られたインターレースは、前記共有スペクトラムの複数の非連続的リソースブロックを備え、
前記共有スペクトラム内の前記割り振られたインターレースに対する前記リソースブロックの順序付けに基づく基準信号シーケンスに従って、前記割り振られたインターレースの前記リソースブロックに対する基準信号を生成するための手段と、
を備える装置。
[Ｃ１１]  前記基準信号シーケンスからの基準信号シンボルを、周波数に従って前記共有スペクトラム内の前記割り振られたインターレースの前記リソースブロックにマッピングするための手段をさらに備え、
別々の基準信号が、前記割り振られたインターレースの前記リソースブロックの各々に対して、そのリソースブロックにマッピングされた前記基準信号シンボルに基づいて生成される、Ｃ１０に記載の装置。
[Ｃ１２]  前記共有スペクトラムは、少なくとも１つの割り振られないインターレースと関連付けられた複数のリソースブロックを備え、前記装置は、
周波数に従って、前記基準信号シーケンスからの基準信号シンボルを、前記割り振られたインターレースおよび前記少なくとも１つの割り振られないインターレースの前記リソースブロックにマッピングするための手段と、
前記割り振られたインターレースの前記リソースブロックにマッピングされる基準信号シンボルのサブセットを決定するために前記基準信号シーケンスをパンクチャするための手段と、
をさらに備え、
前記割り振られたインターレースの前記リソースブロックの各々に対して、そのリソースブロックにマッピングされた前記基準信号シンボルに基づいて、別々の基準信号が生成される、Ｃ１０に記載の装置。
[Ｃ１３]  前記基準信号は、
いくつかのコンピュータ生成シーケンスを生成することと、
前記コンピュータ生成シーケンスのうちの１つを、前記共有スペクトラム内の前記割り振られたインターレースの前記リソースブロックのうちの１つにマッピングすることと、
によって生成される、Ｃ１０に記載の装置。
[Ｃ１４]  前記コンピュータ生成シーケンスの長さは、前記リソースブロックに対するいくつかの周波数サブキャリアに少なくとも部分的に基づく、Ｃ１３に記載の装置。
[Ｃ１５]  コンピュータ生成シーケンスの数は、割り振られたインターレースの数に少なくとも部分的に基づく、Ｃ１３に記載の装置。
[Ｃ１６]  ランダムサイクリックシフトに少なくとも部分的に基づいて前記コンピュータ生成シーケンスのうちの少なくとも１つをシフトするための手段をさらに備える、Ｃ１３に記載の装置。
[Ｃ１７]  前記コンピュータ生成シーケンスのうちの前記１つは、前記リソースブロックのうちの前記１つに、
外部シーケンスを生成することと、
いくつかの組み合わされたシーケンスの数を決定することと、ここにおいて、前記組み合わされたシーケンスは、前記コンピュータ生成シーケンスおよび前記外部シーケンスのうちの少なくとも１つに少なくとも部分的に基づき、
前記組み合わされたシーケンスのうちの１つを、前記共有スペクトラム内の前記割り振られたインターレースの前記リソースブロックのうちの１つにマッピングすることと、
によってマッピングされる、Ｃ１３に記載の装置。
[Ｃ１８]  前記共有スペクトラム上で前記アップリンク送信を送信するための手段をさらに備え、前記アップリンク送信は前記割り振られたインターレースのうちの少なくとも１つを備える、Ｃ１０に記載の装置。
[Ｃ１９]  プロセッサによって実行可能な命令を記憶するための非一時的コンピュータ可読媒体であって、
共有スペクトラム上でアップリンク送信に対するいくつかの割り振られたインターレースをユーザ機器（ＵＥ）において受信するための命令と、ここにおいて、各割り振られたインターレースは、前記共有スペクトラムの複数の非連続的リソースブロックを備え、
前記共有スペクトラム内の前記割り振られたインターレースに対する前記リソースブロックの順序付けに基づく基準信号シーケンスに従って、前記割り振られたインターレースの前記リソースブロックに対する基準信号を生成するための命令と、
を備える、非一時的コンピュータ可読媒体。
[Ｃ２０]  前記基準信号を生成するための前記命令は、
前記基準信号シーケンスからの基準信号シンボルを、周波数に従って前記共有スペクトラム内の前記割り振られたインターレースの前記リソースブロックにマッピングするための命令を備え、
別々の基準信号が、前記割り振られたインターレースの前記リソースブロックの各々に対して、そのリソースブロックにマッピングされた前記基準信号シンボルに基づいて生成される、Ｃ１９に記載のコンピュータプログラム製品。
[Ｃ２１]  前記共有スペクトラムは、少なくとも１つの割り振られないインターレースと関連付けられた複数のリソースブロックを備え、前記基準信号を生成するための前記命令は、
周波数に従って、前記基準信号シーケンスからの基準信号シンボルを、前記割り振られたインターレースおよび前記少なくとも１つの割り振られないインターレースの前記リソースブロックにマッピングすることと、
前記割り振られたインターレースの前記リソースブロックにマッピングされる基準信号シンボルのサブセットを決定するために前記基準信号シーケンスをパンクチャすることと、
を行うための命令を備え、
前記割り振られたインターレースの前記リソースブロックの各々に対して、そのリソースブロックにマッピングされた前記基準信号シンボルに基づいて、別々の基準信号が生成される、Ｃ１９に記載のコンピュータプログラム製品。
[Ｃ２２]  前記基準信号を生成するための前記命令は、
いくつかのコンピュータ生成シーケンスを生成することと、
前記コンピュータ生成シーケンスのうちの１つを、前記共有スペクトラム内の前記割り振られたインターレースの前記リソースブロックのうちの１つにマッピングすることと、
を行うための命令を備える、Ｃ１９に記載のコンピュータプログラム製品。
[Ｃ２３]  前記コンピュータ生成シーケンスの長さは、前記リソースブロックに対するいくつかの周波数サブキャリアに少なくとも部分的に基づく、Ｃ２２に記載のコンピュータプログラム製品。
[Ｃ２４]  コンピュータ生成シーケンスの数は、割り振られたインターレースの数に少なくとも部分的に基づく、Ｃ２２に記載のコンピュータプログラム製品。
[Ｃ２５]  前記共有スペクトラム上で前記アップリンク送信を送信するための命令をさらに備え、前記アップリンク送信は前記割り振られたインターレースのうちの少なくとも１つを備える、Ｃ１９に記載のコンピュータプログラム製品。
[Ｃ２６]  ワイヤレス通信の方法であって、
共有スペクトラム上でアップリンク送信に対するいくつかの割り振られたインターレースをユーザ機器（ＵＥ）において受信することと、ここにおいて、各割り振られたインターレースは、前記共有スペクトラムの複数の非連続的リソースブロックを備え、割り振られたインターレースの数は、前記ＵＥのジョイントインターレースプリコーディングハードウェアによってサポートされない、
前記割り振られたインターレースを、少なくとも２つのインターレースのサブセットに区分することと、ここにおいて、インターレースの各サブセットのサイズは、前記ＵＥの前記ジョイントインターレースプリコーディングハードウェアによってサポートされ、
前記ＵＥにおいて、インターレースの各サブセットで別々にジョイントインターレースプリコーディングを実行することと、
を備える方法。
[Ｃ２７]  前記ＵＥに対して前記選択されるサイズの組合せに関連する電力メトリックに基づいて、インターレースの各サブセットの前記サイズ選択することをさらに備える、Ｃ２６に記載の方法。
[Ｃ２８]  インターレースの前記サブセットを前記共有スペクトラム上で基地局に送信することをさらに備える、Ｃ２６に記載の方法。
[Ｃ２９]  割り振られたリソースの数は７を備える、Ｃ２６に記載の方法。
[Ｃ３０]  インターレースの前記少なくとも２つのサブセットは、１つのインターレースの第１のセットと６つのインターレースの第２のセットとを備える、Ｃ２６に記載の方法。